(57)【要約】【課題】  複数の位置に対して穿刺針の支持及び案内を安定して行うことが可能で、さらに、穿刺針のみが刺入されたままの状態となるように、自身を穿刺針から容易に外すことが可能な穿刺アダプタを提供すること。【解決手段】  溝が上下方向に複数段形成されたガイドプレート３３と、複数の溝を覆うことが可能なカバープレート３５と、カバープレートの一端側を貫通しガイドプレートに保持され、ガイドプレートにカバープレートを固定し、及び、カバープレートを回動自在に保持するための係止具とを備え、ガイドプレートにカバープレートが固定された場合には、複数の溝のそれぞれとカバープレートとで穿刺針をガイドするための複数のガイド孔が形成され、カバープレートが回動自在に保持された場合には、カバープレートを回動させて、穿刺針を取り外すために複数の溝を開放することが可能なことを特徴とする。【選択図】      図１
2006075386.tif 000002
【特許請求の範囲】
【請求項１】
経直腸超音波プローブに装着され、経会陰穿刺用の穿刺針をガイドするための穿刺アダプタであって、
表面に溝が上下方向に複数段形成されたガイドプレートと、
前記複数の溝を覆うことが可能なカバープレートと、
前記カバープレートの一端側を貫通し前記ガイドプレートに保持され、前記ガイドプレートに前記カバープレートを固定し、及び、前記カバープレートを回動自在に保持するための係止具と、を備え、
前記係止具により前記ガイドプレートに前記カバープレートが固定された場合には、前記複数のガイド溝のそれぞれと前記カバープレートとで前記穿刺針をガイドするための複数のガイド孔が形成され、前記係止具により前記カバープレートが回動自在に保持された場合には、前記カバープレートを回動させて、前記穿刺針を取り外すために前記複数のガイド溝を開放することが可能なことを特徴とする穿刺アダプタ。
【請求項２】
前記カバープレートの底部をガイドするガイド溝を更に備え、
前記ガイド溝は、前記表面に対向する壁面が前記ガイド溝の底面から上方に向かって広がる傾斜面となっている請求項１に記載の穿刺アダプタ。
【請求項３】
前記ガイド溝にガイドされる前記カバープレートの底部が、Ｒ形状または面取り形状に形成された請求項２に記載の穿刺アダプタ。
【請求項４】
前記ガイドプレートは、前記カバープレートを固定するときに、前記カバープレートの前記回動方向の位置を決めるための係止部を更に備えた請求項１乃至請求項３のいずれかに記載の穿刺アダプタ。
【請求項５】
前記係止具の前記ガイドプレートに対する抜け止めを更に備えた請求項１乃至請求項４のいずれかに記載の穿刺アダプタ。
【請求項６】
前記ガイドプレートに、前記複数のガイド溝を開放する位置で前記カバープレートを係止し保持する保持部を設けた請求項１または請求項５に記載の穿刺アダプタ。
【請求項７】
前記溝は、平溝である請求項１または請求項６に記載の穿刺アダプタ。
【請求項８】
前記溝は、その断面形状が溝の奥側から開口部に向かって広がるようになされている請求項１または請求項６に記載の穿刺アダプタ。
【請求項９】
前記溝の長手方向の前記ガイドプレートの長さが、前記ガイドプレートに前記カバープレートが固定された場合における前記カバープレートの前記長手方向の長さより短くなされた請求項１乃至請求項８のいずれかに記載の穿刺アダプタ。
【請求項１０】
前記ガイドプレートに、利用可能な前記穿刺針を示す表記が視認可能に表示された請求項１乃至請求項９のいずれかに記載の穿刺アダプタ。
【請求項１１】
前記形成された複数の溝のそれぞれの近傍に、それぞれの溝の位置を示す表記が視認可能に表示された請求項１乃至請求項１０のいずれかに記載の穿刺アダプタ。
【請求項１２】
前記複数の溝は、一定の間隔で形成されたものである請求項１１に記載の穿刺アダプタ。
【発明の詳細な説明】
【技術分野】
【０００１】
本発明は、穿刺針を被検体に刺し入れて患部の組織を採取又は治療する穿刺術に用いられる超音波プローブに装着される穿刺アダプタに関するもので、特に、経直腸プローブに装着される経会陰穿刺用の穿刺アダプタに関する。
【背景技術】
【０００２】
従来から、注射針等の穿刺針を生体内に刺入して、腫瘍などの組織の採取等の検査や、薬剤の局所投与或いは穿刺針からのマイクロ波やラジオ波の照射等の温熱治療などを行う穿刺術が行われている。このような穿刺術は、損傷により大出血を起こす危険性のある血管などを避けるために、或いは、目的である腫瘍などの組織に対して確実に穿刺するために、一般的には、超音波診断装置によって生成される断層画像を参照しながら行われている。
【０００３】
このように超音波診断装置による断層画像を参照して穿刺術を施す場合に、診断用の超音波プローブに穿刺用の穿刺アダプタを取り付けて、この穿刺アダプタに支持される穿刺針を生体接触面であるプローブ面の端部近傍から生体内に刺入する方法がある（例えば、特許文献１参照）。
【０００４】
また、穿刺アダプタの中には、図１８に示すように用いられる経直腸プローブ経会陰穿刺に用いる穿刺アダプタ４がある。図１８は、経直腸プローブ経会陰穿刺の様子を説明するための図である。図１８に示すように、経直腸プローブ１は、患者の直腸に挿入され、例えば前立腺の超音波リニア断層像を再構成するためのもので、穿刺アダプタ４は、経直腸プローブ１に固定され、経直腸プローブ１の超音波リニア断層像を参考にしつつ、超音波リニア断層像に示される前立腺部に検査または治療のために刺入される穿刺針２を支持し案内するためのものである。
【０００５】
一方、特に上述の経直腸プローブ経会陰穿刺では、穿刺針２を用いて治療を行う場合に、治療を行っている間中、経直腸プローブ１が挿入されたままの状態は患者にとって苦痛を伴うため、穿刺針２のみを刺入したままの状態にして、経直腸プローブ１と穿刺アダプタ４とを抜き去ることが望まれる。また、例えば、穿刺アダプタ４の穿刺針２の支持・案内部が、特許文献１に記載のような孔であれば、経直腸プローブ１と穿刺アダプタ４とを、孔を穿刺針２に沿わせるように、挿入の方向とは逆方向に移動させて、穿刺アダプタ４から穿刺針２を外すことになるが、穿刺針２の元側には、図示しないが薬剤投与のための注射器のシリンダや温熱治療用の器具等が接続されているため、そのように移動して、経直腸プローブ１と穿刺アダプタ４とを穿刺針２のみを残して外すことはできない。
【０００６】
また、このような穿刺術では、例えば癌のある場所に合わせて、検査または治療のために穿刺針２を刺入する位置を変える必要があるが、経直腸プローブ経会陰穿刺では、図１８に示すように、経直腸プローブ１は直腸に挿入されているので動かすことはできない。
【０００７】
そこで、従来の穿刺アダプタ４は、以下に示すようになされていた。図１６は、従来の穿刺アダプタ４を示し、同図（ａ）はその穿刺アダプタ４の左側面図、同図（ｂ）は正面図である。図１６に示すように、従来の穿刺アダプタ４には、穿刺針２のみを残すようにして、穿刺針２から穿刺アダプタ４が外せるように、孔ではなく開口部４１ａを有する溝４１が形成され、さらに、その溝４１は、所望の位置に穿刺針２を刺入できるように、上下方向に複数段が設けられている。また、図１７に溝４１の詳細を示す。溝４１が単なる平溝形状では、刺入の際、穿刺針２が左右方向に安定しないため、容易に刺入できないことや超音波リニア断層像上に現れる穿刺針２の画像が不鮮明になってしまうことなどがあるので、図１７に示すように、穿刺針２の径よりも僅かに大きな幅Ｈを有する開口部４１ａから図１７で左側奥方に向かい、さらに下側にカギ状段差部となり、穿刺針２を支持・案内するためのガイド壁４１ｂ、ガイド壁４１ｃ及びガイド壁４１ｄが形成されている。
【０００８】
従来の穿刺アダプタ４を用いた使用態様としては、複数の溝４１のうち、目的とする高さに位置する溝４１を用いて、その溝４１の前記段差部により穿刺針２を支持・案内させて刺入することによって使用される。そして、穿刺針２を刺入したまま穿刺アダプタを除去する場合には、穿刺アダプタ４を若干下に移動させるか、又は、穿刺針２を持ち上げるかのいずれかの方法によって相対位置を変えて、穿刺針２から開口部を介して穿刺アダプタ４を外すのである。
【０００９】
【特許文献１】特開平１−９７４４０号公報
【発明の開示】
【発明が解決しようとする課題】
【００１０】
しかしながら、このような穿刺アダプタ４では、３方向のガイド壁で支持・案内しながら穿刺針２を刺入することになり、上下方向には安定しにくく、さらに、刺入中に穿刺針２が開口部４１ａにかかると、左右方向にも安定しない場合があり、穿刺針２を容易に刺入できない。また、左右方向に安定しない場合に、超音波リニア断層像上に現れる穿刺針２の画像が不鮮明になってしまうことがある。
【００１１】
また、穿刺針２を除去しようとする際には、上述したように穿刺針２と穿刺アダプタ４との相対位置を変える必要があり、穿刺針２を持ち上げることにより刺入されている位置から穿刺針２を動かしてしまう場合があり、また、穿刺アダプタ４を若干下に移動させたとしても、穿刺アダプタ４を移動させる際に溝４１のガイドには用いない上側の壁やガイド壁４１ｃが穿刺針２に触れて動かしてしまう場合がある。
【００１２】
本発明は、上記事情に鑑みてなされたものであって、その目的とするところは、複数の位置に対して穿刺針の支持及び案内を安定して行うことが可能で、さらに、穿刺針のみを刺入されたままの状態となるように、自己を穿刺針から容易に外すことが可能な穿刺アダプタを提供することにある。
【課題を解決するための手段】
【００１３】
上記課題を解決するために請求項１記載の発明は、経直腸超音波プローブに装着され、経会陰穿刺用の穿刺針をガイドするための穿刺アダプタであって、表面に溝が上下方向に複数段形成されたガイドプレートと、前記複数の溝を覆うことが可能なカバープレートと、前記カバープレートの一端側を貫通し前記ガイドプレートに保持され、前記ガイドプレートに前記カバープレートを固定し、及び、前記カバープレートを回動自在に保持するための係止具と、を備え、前記係止具により前記ガイドプレートに前記カバープレートが固定された場合には、前記複数のガイド溝のそれぞれと前記カバープレートとで前記穿刺針をガイドするための複数のガイド孔が形成され、前記係止具により前記カバープレートが回動自在に保持された場合には、前記カバープレートを回動させて、前記穿刺針を取り外すために前記複数のガイド溝を開放することが可能なことを特徴としている。
【００１４】
また、請求項２記載の発明は、前記カバープレートの底部をガイドするガイド溝を更に備え、前記ガイド溝は、前記表面に対向する壁面が前記ガイド溝の底面から上方に向かって広がる傾斜面となっていることを特徴としている。
【００１５】
また、請求項３記載の発明は、前記ガイド溝にガイドされる前記カバープレートの底部が、Ｒ形状または面取り形状に形成されたことを特徴としている。
【００１６】
また、請求項４記載の発明は、前記ガイドプレートは、前記カバープレートを固定するときに、前記カバープレートの前記回動方向の位置を決めるための係止部を更に備えたことを特徴としている。
【００１７】
また、請求項５記載の発明は、前記係止具の前記ガイドプレートに対する抜け止めを更に備えたことを特徴としている。
【００１８】
また、請求項６記載の発明は、前記ガイドプレートに、前記複数のガイド溝を開放する位置で前記カバープレートを係止し保持する保持部を設けたことを特徴としている。
【００１９】
また、請求項７記載の発明は、前記溝は、平溝であることを特徴としている。
【００２０】
また、請求項８記載の発明は、前記溝は、その断面形状が溝の奥側から開口部に向かって広がるようになされていることを特徴としている。
【００２１】
また、請求項９記載の発明は、前記溝の長手方向の前記ガイドプレートの長さが、前記ガイドプレートに前記カバープレートが固定された場合における前記カバープレートの前記長手方向の長さより短くなされたことを特徴としている。
【００２２】
また、請求項１０記載の発明は、前記ガイドプレートに、利用可能な前記穿刺針を示す表記が視認可能に表示されたことを特徴としている。
【００２３】
また、請求項１１記載の発明は、前記形成された複数の溝のそれぞれの近傍に、それぞれの溝の位置を示す表記が視認可能に表示されたことを特徴としている。
【００２４】
また、請求項１２記載の発明は、前記複数の溝は、一定の間隔で形成されたものであることを特徴としている。
【発明の効果】
【００２５】
請求項１に記載の穿刺アダプタによれば、複数の溝のそれぞれとカバープレートとで形成される複数のガイド孔により、複数の位置に対して穿刺針の支持及び案内を安定して行うことが可能で、カバープレートが回動自在に保持できるので、カバープレートを回動させて、複数のガイド溝を開放し、穿刺アダプタを穿刺針から容易に外すことが可能である。
【００２６】
請求項２に記載の穿刺アダプタによれば、カバープレートの自重で、カバープレートの底部が傾斜面の壁部でガイドされ、カバープレートがガイドプレートに密着して固定される。
【００２７】
請求項３に記載の穿刺アダプタによれば、カバープレートの端部をＲ形状または面取り形状に形成することにより、請求項４に記載の傾斜面でより効果的にガイドされる。
【００２８】
請求項４に記載の穿刺アダプタによれば、カバープレートをガイドプレートに固定する際に、カバープレートが係止されるので、容易に位置を決めることができ、かつ、回転してしまうことが無い。
【００２９】
請求項５に記載の穿刺アダプタによれば、係止具が抜け止めによりガイドプレートから外れないので、常にカバープレートを確実に保持することができる。
【００３０】
請求項６に記載の穿刺アダプタによれば、カバープレートはガイドプレートに保持されるので操作者がカバープレートを保持する必要なく作業が容易になる。
【００３１】
請求項７に記載の穿刺アダプタによれば、穿刺針を外す際に、ガイド溝に引っかかることが無い。
【００３２】
請求項８に記載の穿刺アダプタによれば、穿刺針を外す際に、ガイド溝に引っかかることが無い。
【００３３】
請求項９に記載の穿刺アダプタによれば、溝の長手方向におけるガイドプレートの長さがカバープレートの長さより短いので、回動させる場合などに、カバープレートを掴む際、カバープレートのみを容易に掴むことが可能となる。
【００３４】
請求項１０に記載の穿刺アダプタによれば、利用可能な穿刺針を示す表記が視認可能に表示されているので、使用する穿刺針に対し適切な穿刺アダプタか否か簡単にかつすばやく知ることができる。
【００３５】
請求項１１に記載の穿刺アダプタによれば、溝のそれぞれの近傍に、それぞれの溝の位置を示す表記が視認可能に表示されているので、どの位置の溝に穿刺針がガイドされているかを一目で容易に認識することができる。
【００３６】
請求項１２に記載の穿刺アダプタによれば、各溝の間隔が一定であるから、穿刺針をガイドする溝の番号により、穿刺針の位置を簡単にかつすばやく数値で知ることができる。
【発明を実施するための最良の形態】
【００３７】
［第１の実施の形態］
以下、本発明の実施形態につき、図面を参照して説明する。
【００３８】
図１は、本発明に係る経直腸プローブ経会陰穿刺用の穿刺アダプタ３の第１の実施の形態における構成を示す斜視図である。図１に示すように、本実施の形態の穿刺アダプタ３は、穿刺針２（図示せず）のガイドに用いる複数の溝３１が形成されたガイドプレート３３と経直腸プローブ１（図示せず）に装着するための装着部３４からなるガイド部本体３２と、板状で複数の溝３１を覆うことが可能なカバープレート３５と、カバープレート３５を保持または固定するための係止具３６と、装着部３４に図示しない軸で枢着され、係止具３８をガイド部本体３２に係合することにより固定される固定プレート３７で構成される。
【００３９】
図２は、ガイド部本体３２を示し、同図（ａ）は正面図、同図（ｂ）は右側面図である。図２に示すように、ガイドプレート３３には、ガイドプレート３３の片側の表面３１ａには上下方向に複数段の溝３１、３１、３１・・・が形成され、表面３１ａの溝３１の上側には係止具３６を螺合するネジ孔３３ａが形成される。この溝３１は、溝の開口部３１ｂが穿刺針２の径よりも僅かに大きな幅Ｈで、コの字またはＵの字の断面形状の平溝で形成されている。また、ガイドプレート３３の下端側にはカバープレート３５の底部をガイドするためのガイド溝３３ｅが形成されている。このガイド溝３３ｅは、図３に示すように、前記表面３１ａに対向する壁面３３ｂが底面３３ｄから上方に向かって広がる傾斜面となっている。また、このガイド溝３３ｅの底面３３ｄの中央には後述するガイドプレート３５の底部に設けられた切り欠き３５ｂを係止する突起３３ｃ（係止部）が形成されている。
【００４０】
ガイド部本体３２の装着部３４は、下側に開口部を有するコの字上で、装着部３４の上側には、経直腸プローブ１（図示せず）に対する装着位置の位置決めとしての位置決め溝３４ａと、経直腸プローブ１を挟持するための上側受け面３４ｂが形成される。また、コの字の一方の端部には固定プレート３７を枢着する図示しない軸を保持する孔３４ｃと、コの字の他方の端面には、係止具３８を螺合する図示しないネジ孔が形成されている。
【００４１】
図４は、カバープレート３５を示す正面図である。上端部には、係止具３６が貫通する縦長の孔３５ａが形成されていて、底部の中央部には、切り欠き３５ｂ（凹部）が形成されている。そして、孔３５ａ及び３５ｂを除く平面部でガイドプレート３３の複数の溝３１を覆うようになっている。
【００４２】
図６は、係止具３６について説明するための図である。係止具３６は、カバープレート３５の孔３５ａを貫通しガイド部本体３２に螺合するネジ部３６ａと、ネジ部３６ａより径が大きくなされ、カバープレート３５を押えるとともに操作者がつまんでネジを回転させるためのツマミ部３６ｂで構成される。また、ネジ部３６ａの先端には、抜け止め３６ｃが取り付けられていて係止具３６がガイドプレート３３から外れないようになっている。図６には、ネジを緩めた状態を示すが、また、このネジを緩めた状態において、カバープレート３５をネジ部３６ａで保持し、図示しないがネジを締めた状態でカバープレート３５をガイドプレート３３に固定する。
【００４３】
ここで、図１、図６、図７及び図８を用いてカバープレート３５の回動及び固定ついて説明する。図７は、カバープレート３５の切り欠き３５ｂとガイド部本体３２の突起３３ｃの嵌合を説明するための図で（説明のため係止具３６は省略してある）、図８は、ガイド部本体３２の壁面３３ｂの作用を説明するための図である。
【００４４】
図６の説明で述べたように、係止具３６のネジを緩めた状態で、カバープレート３５は係止具３６のネジ部３６ａで、係止具３６の軸方向を回転中心とて図１に示す矢印方向に回動自在に保持される。このとき、係止具３６は、抜け止め３６ｃよりガイドプレート３３から外れないので、カバープレート３５も保持されたままガイドプレート３３から外れることがない。したがって、片手で容易に回動させることができる。そして、このカバープレート３５が回動自在に保持されている状態で、カバープレート３５の底部をガイド溝３３ｅに位置させ、さらに、図７に示すように、カバープレート３５の切り欠き３５ｂをガイド溝３３ｅの突起３３ｃに嵌合させる。ところで、カバープレート３５を回動の中心の孔３５ａは図７に示すように縦長なので、カバープレート３５を上下（図中の矢印方向）に移動させて、この嵌合することができるのである。このように嵌合させることにより位置を決めることができる。さらに、図８に示すように、カバープレート３５の底部は、自重によりガイド溝３３ｅの壁面３３ｂに沿ってすべりながら表面３１ａに接する。この状態で、係止具３６のネジ部３６ａを螺合させることにより、カバープレート３５は、表面３１ａに密着した状態に固定されるのである。また、カバープレート３５は、切り欠き３５ｂと突起３３ｃにより係止されているので、係止具３６のネジ部３６ａの螺合の際にカバープレート３５が回転してしまうことが無い。このように、カバープレート３５をガイドプレート３３へ片手で、容易に且つ密着させて固定することができる。また、カバープレート３５の底部が、壁面３３ｂを滑りやすいように、カバープレート３５の底部の端をＲ形状もしくは面取り形状が望ましい。また、カバープレート３５側を切り欠き３５ｂ、ガイド溝３３ｅ側を突起３３ｃとしたが、カバープレート３５側を突起、ガイド部本体３２側を凹形状としてもよい。また、孔３５ａは、上述のような長穴ではなく、係止具３６のネジ部３６ａの径より大きければ、丸穴であってもよい。
【００４５】
上述のように、カバープレート３５がガイドプレート３３に固定されることにより、溝３１がカバープレート３５により覆われて、図９に示すように、溝３１とカバープレート３５により本発明のガイド孔が形成され（図９は１つのガイド孔について示したもので、言うまでも無いが、複数の溝３１についても同様にカバープレート３５によりガイド孔が形成される）、ガイド孔は、溝３１及びガイドプレート３５により上下左右でガイド可能であるため、穿刺針２を安定してガイドすることができる。
【００４６】
さらに、係止具３６のネジを緩めることにより、カバープレート３５は回動自在に保持されるので、カバープレート３５を回動させることにより、溝３１を開放できるので、穿刺針２から開口部３１ｂを介して穿刺アダプタ３を除去することが可能となる。
【００４７】
ここで、本穿刺アダプタ３の使用態様について説明する。図５に穿刺アダプタ３を経直腸プローブ１に装着する様子を示す。図５に示すように、経直腸プローブ１は、棒状をしており、一方の端部には、振動子列１ａが配置され、他方側は操作者の手で握りやすいグリップ１ｂとなっている。穿刺アダプタ３は、振動子列１ａとグリップ１ｂとの間に装着されるようになっていて、その穿刺アダプタ３を装着する位置には、振動子列１ａによる超音波の送信方向に突出する位置決めリブ１ｃが軸方向に延設されている。そして、装着部３４の位置決め溝３４ａと経直腸プローブ１の位置決めリブ１ｃとを嵌合させ、係止具３８を螺合させることにより、枢着される固定プレート３７と上側受け面３４ｂとで経直腸プローブ１を挟持して装着される。そして、溝３１とカバープレート３５により形成されたガイド孔は、上下方向に複数段が並び所望の位置に穿刺針２を刺入できるようになされる。
【００４８】
次に、図１８に示したように、経直腸プローブ１を患者の直腸に挿入し、超音波リニア断層像を参照して、片手で経直腸プローブ１のグリップ１ｂを握り、もう一方の手で穿刺針２を持って、検査または治療を行う部位に穿刺針２を刺入する。このとき、カバープレート３５と複数の溝３１で形成される複数のガイド孔から、目標の位置に相当するガイド孔を選択して、選択したガイド孔に穿刺針２を挿入し穿刺針２を刺入する。
【００４９】
そして穿刺針２を用いて検査または治療を行うのであるが、特に治療を行う場合には、経直腸プローブ１が挿入されたままの状態は患者にとって苦痛を伴うため、穿刺針２を刺入したままの状態にして、経直腸プローブ１及び超音波プローブ１に装着された穿刺アダプタ３を除去する必要がある。このとき操作者は、片手は経直腸プローブ１のグリップ１ｂを握った状態であるが、本穿刺アダプタ３の構成によれば、もう一方の手で、係止具３６を緩め、カバープレート３５を回動自在の状態し、図１０に示すようにカバープレート３５を回動させて溝３１を開放し、本穿刺アダプタ３ではコの字またはＵ字の断面形状の平溝を採用しているので、超音波プローブ１を矢印方向に少し回転さるだけで容易に穿刺針２から穿刺アダプタ３を外すことができ、超音波プローブ１を直腸から取り除いて、穿刺針２だけが刺入された状態にすることができる。その状態で、治療を行う。
【００５０】
このような使用態様において、抜け止め３６ｃがなく係止具３６がガイド部本体３２から外れるようになされていたら、カバープレート３５も外れてしまうことになる。このとき、片手は経直腸プローブ１のグリップ１ｂを握った状態であるから、外れた係止具３６及びカバープレート３５の処理はし難いものとなる。また、係止具３６が外されたときにカバープレート３５を落としてしまうことも考えられる。また、本実施の形態は、係止具３６を１つで構成したが、カバープレート３５と表面３１ａを密着させるために本実施の形態の壁面３３ｂを用いず、例えば係止具を２つで構成したら、少なくとも１つの係止具は外さなければならないので、外れた係止具の処理が必要となってしまう。したがって、本実施の形態のように係止具が１つであること、及び、係止具に抜け止めで抜けないようになされていることで、片手で経直腸プローブ１のグリップ１ｂを握った状態において作業が容易となるのである。さらに、片手で係止具３６のネジを締めるだけで、切り欠き３５ｂと突起３３ｃ、及び、壁面３３ｂによりカバープレート３５を容易に且つ密着させて固定することができる。
【００５１】
また、上述の説明では、表面３１ａの溝３１の上側に係止具３６を係合するネジ孔３３ａを設けたが、係止具３６を係合するネジ孔の位置はこれに限らず、例えば、溝３１の下側であってもよい。
【００５２】
［第２の実施の形態］
次に、図面を参照して本考案の第２の実施の形態を説明する。なお、以下には第１の実施の形態と実質的に同様の構成については、詳細な説明を省略し、主に異なる点について述べる（以下の他の実施の形態も同様）。
【００５３】
本実施の形態の特徴は、カバープレート３５を回動させガイドプレート３３の上側の位置で係止し保持するようにすることにある。例えば、図１１に示すように、カバープレート３５を固定した状態で、ガイドプレート３３の固定されたカバープレート３５に干渉しない位置に突起を形成した保持部３３ｆを設け、カバープレート３５を回動させたときに、カバープレート３５を係止し保持するようにする。これにより、カバープレート３５から手を離すことができるのでさらに上述した穿刺針２を外す作業は容易になる。
【００５４】
［第３の実施の形態］
本実施の形態の特徴は、穿刺針２からの穿刺アダプタ３の除去をより容易にすることにある。
【００５５】
図１２に示すように、溝３１の断面形状を溝の奥側から開口部に向かって広がるようにし開口部が最も大きくなるようになされている。これにより、より容易に穿刺針２から穿刺アダプタ３を除去することができる。
【００５６】
［第４の実施の形態］
本実施の形態の特徴は、カバープレート３５をより容易に回動させることにある。
【００５７】
図１５に示すように、ガイドプレート３３における溝の長手方向の長さＷ１より、カバープレート３５を固定した状態におけるカバープレート３５の前記長手方向の長さＷ２を大きくする。これにより、カバープレート３５を回動させるときにカバープレート３５だけを掴むことが可能となり、より容易にカバープレート３５を回動させることができる。
【００５８】
［第５の実施の形態］
穿刺針の太さは複数種類あるので、それぞれの太さに応じたガイド溝を有する穿刺アダプタ３を使用することが好ましい。したがって、本実施の形態の特徴は、使用する穿刺針に対し適切な穿刺アダプタ３か否か簡単にかつすばやく判定できるようにすることにある。
図１３に示すように、例えば、利用可能な穿刺針を示す表記、例えば利用可能な穿刺針の太さなどの表記をガイドプレート３３に視認可能に表示する。これにより、使用する穿刺針に対し適切な穿刺アダプタ３か否か簡単にかつすばやく知ることができる。
【００５９】
［第６の実施の形態］
穿刺針を用いての治療や検査は、複数箇所に対して行う場合があるが、その際、使用するべきガイド孔を認識する必要があり、本実施の形態の特徴は、複数のガイド孔の位置を認識しやすくすることにある。
【００６０】
図１４に示すように、溝３１の近傍に、溝３１の位置を表す表記（図１４では数字）を表示する。これより、どの位置の溝３１に穿刺針２がガイドされているかを一目で容易に認識することができる。また、例えば各溝３１の間隔を１０ｍｍで一定とすると、穿刺針を挿入するガイド溝の番号により、基準からの穿刺針の位置を簡単にかつすばやく知ることができる。
【図面の簡単な説明】
【００６１】
【図１】本発明に係る穿刺アダプタの一実施形態における構成を示す斜視図である。
【図２】図１に示すガイド部本体を示す図であり、（ａ）は正面図、（ｂ）は右側面図である。
【図３】ガイドプレートの下側に形成されるカバープレートを係止するための凸部を示す斜視図である。
【図４】図１に示すカバープレートの正面図である。
【図５】穿刺アダプタを経直腸プローブに装着する様子を示す図である。
【図６】図１に示す係止具を説明するための図である。
【図７】カバープレートのガイド部本体への固定ついて説明するための図である。
【図８】カバープレートのガイド部本体への固定ついて説明するための図である。
【図９】ガイド溝とカバープレートにより形成されるガイド孔を示す図である。
【図１０】穿刺針から穿刺アダプタを外す様子を説明するための図である。
【図１１】ガイドプレートのカバープレートを係止する係止部を示す図である。
【図１２】ガイドプレートに形成されるガイド溝の形状の一例を示す図である。
【図１３】ガイドプレートに表示する利用可能な穿刺針を示す表記の一例を示す図である。
【図１４】ガイドプレートに表示するガイド溝の位置を示す表記の一例を示す図である。
【図１５】ガイドプレートとカバープレートの溝の長手方向の長さを説明するための図である。
【図１６】従来の穿刺アダプタを示し、（ａ）はその穿刺アダプタの左側面図、（ｂ）は正面図である。
【図１７】従来の穿刺アダプタに形成されるガイド溝を説明するため図である。
【図１８】経直腸プローブ経会陰穿刺の様子を説明するための図である。
【符号の説明】
【００６２】
１  経直腸プローブ
２  穿刺針
３  穿刺アダプタ
３１  溝
３１ａ  表面
３１ｂ  開口部
３３  ガイドプレート
３３ｂ  壁面
３３ｃ  突起
３３ｄ  底面
３３ｅ  ガイド溝
３３ｆ  保持部
３５  カバープレート
３５ａ  孔
３５ｂ  切り欠き
３６  係止具
３６ｃ  抜け止め
４  穿刺アダプタ
４１  溝
【図１】
2006075386.tif 000003
【図２】
2006075386.tif 000004
【図３】
2006075386.tif 000005
【図４】
2006075386.tif 000006
【図５】
2006075386.tif 000007
【図６】
2006075386.tif 000008
【図７】
2006075386.tif 000009
【図８】
2006075386.tif 000010
【図９】
2006075386.tif 000011
【図１０】
2006075386.tif 000012
【図１１】
2006075386.tif 000013
【図１２】
2006075386.tif 000014
【図１３】
2006075386.tif 000015
【図１４】
2006075386.tif 000016
【図１５】
2006075386.tif 000017
【図１６】
2006075386.tif 000018
【図１７】
2006075386.tif 000019
【図１８】
2006075386.tif 000020